(57)【要約】  本発明は、電気コネクタ分野に係り、特に差動コネクタおよびそのハウジング部材に関する。絶縁体、差動対および接地接触部品を含む２つ以上の差動モジュールと、差動対の挿接端に対応する挿接孔が設けられたハウジングを含むハウジング部材と、を含む差動コネクタにおいて、前記ハウジングには、差動対の挿接端に対応する端部遮断部品が設けられ、前記端部遮断部品には、差動対の挿接端の挿接方向に沿って延びる遮断溝を有し、各遮断溝の開口の向きが同一であり、前記差動対の挿接端は、遮断溝内に設けられて同一差動モジュールの隣接する差動対の挿接端から離間する。現在の差動コネクタの隣接する差動モジュールの差動対の間に電磁干渉が存在するという問題を解決した。【選択図】図１１
2019523977.tif 000002
【特許請求の範囲】
【請求項１】
絶縁体、差動対および接地接触部品を含む２つ以上の差動モジュールと、差動対の挿接端に対応する挿接孔が設けられたハウジングを含むハウジング部材と、を含む差動コネクタにおいて、
前記ハウジングには、差動対の挿接端に対応する端部遮断部品が設けられ、
前記端部遮断部品には、差動対の挿接端の挿接方向に沿って延びる遮断溝を有し、
各遮断溝の開口の向きが同一であり、
前記差動対の挿接端は、遮断溝内に設けられて同一差動モジュールの隣接する差動対の挿接端から離間する、
ことを特徴とする差動コネクタ。
【請求項２】
前記端部遮断部品は、絶縁体層と、絶縁体層に設けられた遮断層と、を含み、
前記遮断層は、導電遮断層であり、
前記絶縁体の少なくとも片側に配線遮断部品が設けられ、
任意の両差動モジュールの間に前記配線遮断部品を有し、
前記遮断層は、前記接地接触部品または配線遮断部品に電気的に接続される、
ことを特徴とする請求項１に記載の差動コネクタ。
【請求項３】
前記遮断層は、金属板であり、
隣接する端部遮断部品の金属板の間に接続リブが設けられ、
前記遮断層は、前記接続リブを介して前記接地接触部品または配線遮断部品に電気的に接続される、
ことを特徴とする請求項２に記載の差動コネクタ。
【請求項４】
前記ハウジングに端部遮断部品取付孔が設けられ、
端部遮断部品取付孔内に遮断部品取付構造が設けられ、
端部遮断部品取付孔の孔壁は、遮断溝の開口部に設けられた第１取付孔孔壁セグメントを含み、
前記挿接孔は、端部遮断部品と第１取付孔孔壁セグメントとで囲んで形成され、
前記絶縁体層は、挿接孔と遮断層との間に設けられる、
ことを特徴とする請求項２または３に記載の差動コネクタ。
【請求項５】
ハウジングには、端部遮断部品を集成する集成モジュールが設けられ、
集成モジュールには、端部遮断部品と整合する遮断部品取付構造が設けられ、
集成モジュールは、スリーブ体構造であり、
前記集成モジュール内に前記遮断部品取付構造が設けられ、
隣接する前記集成モジュールの隣接する側壁には、対応する部分遮断部品取付構造が設けられ、
前記対応する部分遮断部品取付構造で前記遮断部品取付構造を構成する、
ことを特徴とする請求項１〜３のいずれか１項に記載の差動コネクタ。
【請求項６】
前記差動対に対応する２つの挿接孔の間に絶縁性仕切り板が設けられ、
前記遮断部品取付構造は、Ｌ型絶縁板を含み、
前記絶縁体層には、Ｌ型絶縁板に掛合する逆Ｌ型絶縁板が設けられ、
前記絶縁性仕切り板は、Ｌ型絶縁板と逆Ｌ型絶縁板を備える、
ことを特徴とする請求項５に記載の差動コネクタ。
【請求項７】
絶縁体、差動対および接地接触部品を含む少なくとも２つの差動モジュールと、差動対の挿接端に対応する挿接孔が設けられたハウジングを含むハウジング部材と、を含む差動コネクタにおいて、
前記ハウジングには、差動対の挿接端に対応する端部遮断部品が設けられ、
前記端部遮断部品には、差動対の挿接端の挿接方向に沿って延びる遮断溝を有し、
同一の前記差動モジュールの差動対に対応する端部遮断部品の遮断溝の開口の向きが同一であり、
前記差動対の挿接端は、遮断溝内に設けられて同一差動モジュールの隣接する差動対の挿接端から離間し、
同一差動モジュールの差動対に対応する端部遮断部品で端部遮断部品群を構成し、
端部遮断部品群が２つある場合、２つの端部遮断部品群の遮断溝は、開口が背を向けるように設けられ、
端部遮断部品群が２つを超える場合、各対の隣接する端部遮断部品群のうちの一対のみの遮断溝は、開口が背を向けるように設けられ、残り各対の端部遮断部品群の遮断溝の開口の向きが同一である、
ことを特徴とする差動コネクタ。
【請求項８】
前記端部遮断部品は、絶縁体層と、絶縁体層に設けられた遮断層と、を含み、
前記遮断層は、導電遮断層であり、
前記絶縁体の少なくとも片側に配線遮断部品が設けられ、
任意の両差動モジュールの間に前記配線遮断部品を有し、
前記遮断層は、前記接地接触部品または配線遮断部品に電気的に接続される、
ことを特徴とする請求項７に記載の差動コネクタ。
【請求項９】
前記遮断層は、金属板であり、
隣接する端部遮断部品の金属板の間に接続リブが設けられ、
前記遮断層は、前記接続リブを介して前記接地接触部品または配線遮断部品に電気的に接続される、
ことを特徴とする請求項８に記載の差動コネクタ。
【請求項１０】
前記ハウジングに端部遮断部品取付孔が設けられ、
端部遮断部品取付孔内に遮断部品取付構造が設けられ、
端部遮断部品取付孔の孔壁は、遮断溝の開口部に設けられた第１取付孔孔壁セグメントを含み、
前記挿接孔は、遮断溝と第１取付孔孔壁セグメントとで囲んで形成され、
前記絶縁体層は、挿接孔と遮断層との間に設けられる、
ことを特徴とする請求項８または９に記載の差動コネクタ。
【請求項１１】
ハウジングに端部遮断部品集成用の集成モジュールが設けられ、
集成モジュールには、端部遮断部品と整合する遮断部品取付構造が設けられ、
前記集成モジュールは、スリーブ体構造であり、
前記集成モジュール内に前記遮断部品取付構造が設けられ、
隣接する前記集成モジュールの隣接する側壁には、対応する部分遮断部品取付構造が設けられ、
前記対応する部分遮断部品取付構造で前記遮断部品取付構造を構成する、
ことを特徴とする請求項７〜９のいずれか１項に記載の差動コネクタ。
【請求項１２】
前記差動対に対応する２つの挿接孔の間に絶縁性仕切り板が設けられ、
前記遮断部品取付構造は、Ｌ型絶縁板を含み、
前記絶縁体層には、Ｌ型絶縁板に掛合する逆Ｌ型絶縁板が設けられ、
前記絶縁性仕切り板は、Ｌ型絶縁板と逆Ｌ型絶縁板を備える、
ことを特徴とする請求項１１に記載の差動コネクタ。
【請求項１３】
差動対の挿接端に対応するための挿接孔が設けられたハウジングを含む差動コネクタハウジング部材において、
前記ハウジングには、差動対の挿接端に対応するための端部遮断部品が設けられ、
前記端部遮断部品には、差動対の挿接端の挿接方向に沿って延びるとともに、差動対の挿接端を収納して同一差動モジュールの隣接する差動対の挿接端を離間させるための遮断溝を有し、
各遮断溝の開口の向きが同一である、
ことを特徴とする差動コネクタハウジング部材。
【請求項１４】
前記端部遮断部品は、絶縁体層と、絶縁体層に設けられた遮断層と、を含み、
前記遮断層は、接地接触部品または配線遮断部品に電気的に接続するための導電遮断層である、
ことを特徴とする請求項１３に記載の差動コネクタハウジング部材。
【請求項１５】
前記遮断層は、金属板であり、
隣接する端部遮断部品の金属板の間に接続リブが設けられ、
前記遮断層は、前記接続リブを介して前記接地接触部品または配線遮断部品に電気的に接続される、
ことを特徴とする請求項１４に記載の差動コネクタハウジング部材。
【請求項１６】
前記ハウジングに端部遮断部品取付孔が設けられ、
端部遮断部品取付孔の孔壁は、遮断溝の開口部に設けられた第１取付孔孔壁セグメントを含み、
前記挿接孔は、遮断溝と第１取付孔孔壁セグメントとで囲んで形成され、
前記絶縁体層は、挿接孔と遮断層との間に設けられる、
ことを特徴とする請求項１４または１５に記載の差動コネクタハウジング部材。
【請求項１７】
ハウジングには、端部遮断部品を集成する集成モジュールが設けられ、
集成モジュールには、端部遮断部品と整合する遮断部品取付構造が設けられ、
集成モジュールは、スリーブ体構造であり、
前記集成モジュール内に前記遮断部品取付構造が設けられ、
隣接する前記集成モジュールの隣接する側壁には、対応する部分遮断部品取付構造が設けられ、
前記対応する部分遮断部品取付構造で前記遮断部品取付構造を構成する、
ことを特徴とする請求項１３〜１５のいずれか１項に記載の差動コネクタハウジング部材。
【請求項１８】
前記差動対に対応するための２つの挿接孔の間に絶縁性仕切り板が設けられ、
前記遮断部品取付構造は、Ｌ型絶縁板を含み、
前記絶縁体層には、Ｌ型絶縁板に掛合する逆Ｌ型絶縁板が設けられ、
前記絶縁性仕切り板は、Ｌ型絶縁板と逆Ｌ型絶縁板を備える、
ことを特徴とする請求項１７に記載の差動コネクタハウジング部材。
【請求項１９】
差動対の挿接端に対応するための挿接孔が設けられたハウジングを含む差動コネクタハウジング部材において、
前記ハウジングには、差動対の挿接端に対応するための端部遮断部品が設けられ、
前記端部遮断部品には、差動対の挿接端の挿接方向に沿って延びるとともに、差動対の挿接端を収納して同一差動モジュールの隣接する差動対の挿接端を離間させるための遮断溝を有し、
前記同一の差動モジュールの差動対に対応するための端部遮断部品の遮断溝の開口の向きが同一であり、
同一差動モジュールの差動対に対応する端部遮断部品で端部遮断部品群を構成し、
端部遮断部品群が２つある場合、２つの端部遮断部品群の遮断溝は、開口が背を向けるように設けられ、
端部遮断部品群が２つを超える場合、各対の隣接する端部遮断部品群のうちの一対のみの遮断溝は、開口が背を向けるように設けられ、残り各対の端部遮断部品群の遮断溝の開口の向きが同一である、
ことを特徴とする差動コネクタハウジング部材。
【請求項２０】
前記端部遮断部品は、絶縁体層と、絶縁体層に設けられた遮断層と、を含み、
前記遮断層は、接地接触部品または配線遮断部品に電気的に接続するための導電遮断層である、
ことを特徴とする請求項１９に記載の差動コネクタハウジング部材。
【請求項２１】
前記遮断層は、金属板であり、
隣接する端部遮断部品の金属板の間に接続リブが設けられ、
前記遮断層は、前記接続リブを介して前記接地接触部品または配線遮断部品に電気的に接続される、
ことを特徴とする請求項２０に記載の差動コネクタハウジング部材。
【請求項２２】
前記ハウジングに端部遮断部品取付孔が設けられ、
端部遮断部品取付孔の孔壁は、遮断溝の開口部に設けられた第１取付孔孔壁セグメントを含み、
前記挿接孔は、遮断溝と第１取付孔孔壁セグメントとで囲んで形成され、
前記絶縁体層は、挿接孔と遮断層との間に設けられる、
ことを特徴とする請求項２０または２１に記載の差動コネクタハウジング部材。
【請求項２３】
ハウジングには、端部遮断部品を集成する集成モジュールが設けられ、
集成モジュールには、端部遮断部品と整合する遮断部品取付構造が設けられ、
集成モジュールは、スリーブ体構造であり、
前記集成モジュール内に前記遮断部品取付構造が設けられ、
隣接する前記集成モジュールの隣接する側壁には、対応する部分遮断部品取付構造が設けられ、
前記対応する部分遮断部品取付構造で前記遮断部品取付構造を構成する、
ことを特徴とする請求項１９〜２１のいずれか１項に記載の差動コネクタハウジング部材。
【請求項２４】
前記差動対に対応するための２つの挿接孔の間に絶縁性仕切り板が設けられ、
前記遮断部品取付構造は、Ｌ型絶縁板を含み、
前記絶縁体層には、Ｌ型絶縁板に掛合する逆Ｌ型絶縁板が設けられ、
前記絶縁性仕切り板は、Ｌ型絶縁板と逆Ｌ型絶縁板を備える、
ことを特徴とする請求項２３に記載の差動コネクタハウジング部材。
【発明の詳細な説明】
【技術分野】
【０００１】
本発明は、電気コネクタ分野に係り、特に差動コネクタおよびそのハウジング部材に関する。
【背景技術】
【０００２】
従来の差動コネクタにおいて、コネクタのハウジング部材の内部には、遮断板を取り付けるための空き溝が設けられている。例えば特許文献１（公開日２０１５年１月２１日）に開示されている全体遮断式差動コネクタは、ハウジング部材と２つ以上の差動モジュールとを含む。差動モジュールは、絶縁体、差動対および接地ピンすなわち接地接触部品を含む。ハウジング部材には、差動対と接地ピンとに対応する挿接孔が設けられている。絶縁体の少なくとも片側に配線遮断部品が設けられている。任意の差動モジュールの間に配線遮断部品を有する。差動対の挿接セグメントの少なくとも片側に端部遮断部品が設けられている。任意の両差動モジュールの対応する差動対の間に端部遮断部品を有する。端部遮断部品は、対応する配線遮断部品に電気的に接続される。使用中に、端部遮断部品が隣接する２つの差動モジュールの差動対の挿接セグメントの間に介在することによって、両者の差動対の挿接セグメントの間の電磁干渉を阻止することができ、さらに従来の差動コネクタで伝送線路信号の完全性が破壊されるという問題を解決する。しかし、このような差動コネクタは、使用時に、隣接する差動モジュールの差動対において複数のエリアで依然として電磁漏洩がありしかもその影響を受けるため、最終的に信号伝送の品質に影響を与える。
【先行技術文献】
【特許文献】
【０００３】
【特許文献１】中国特許出願公開第１０４３００３１３号明細書
【発明の概要】
【発明が解決しようとする課題】
【０００４】
本発明の目的は、現在の差動コネクタの隣接する差動モジュールの差動対の間に電磁干渉が存在するという問題を解決するための差動コネクタを提供することである。また、本発明の目的は、さらに、上記差動コネクタに使用される差動コネクタハウジング部材を提供することである。
【課題を解決するための手段】
【０００５】
上記目的を実現するために、本発明の差動コネクタの第１の観点として、絶縁体、差動対および接地接触部品を含む２つ以上の差動モジュールと、差動対の挿接端に対応する挿接孔が設けられたハウジングを含むハウジング部材と、を含む差動コネクタにおいて、前記ハウジングには、差動対の挿接端に対応する端部遮断部品が設けられ、前記端部遮断部品には、差動対の挿接端の挿接方向に沿って延びる遮断溝を有し、各遮断溝の開口の向きが同一であり、前記差動対の挿接端は、遮断溝内に設けられて同一差動モジュールの隣接する差動対の挿接端から離間する。
【０００６】
本発明の差動コネクタの第２の観点として、絶縁体、差動対および接地接触部品を含む少なくとも２つの差動モジュールと、差動対の挿接端に対応する挿接孔が設けられたハウジングを含むハウジング部材と、を含む差動コネクタにおいて、前記ハウジングには、差動対の挿接端に対応する端部遮断部品が設けられ、前記端部遮断部品には、差動対の挿接端の挿接方向に沿って延びる遮断溝を有し、同一の前記差動モジュールの差動対に対応する端部遮断部品の遮断溝の開口の向きが同一であり、前記差動対の挿接端は、遮断溝内に設けられて同一差動モジュールの隣接する差動対の挿接端から離間し、同一差動モジュールの差動対に対応する端部遮断部品で端部遮断部品群を構成し、端部遮断部品群が２つある場合、２つの端部遮断部品群の遮断溝は、開口が背を向けるように設けられ、端部遮断部品群が２つを超える場合、各対の隣接する端部遮断部品群のうちの一対のみの遮断溝は、開口が背を向けるように設けられ、残り各対の端部遮断部品群の遮断溝の開口の向きが同一である。
【０００７】
本発明の差動コネクタの第３の観点として、本発明の差動コネクタの第１の観点または第２の観点に記載した差動コネクタにおいて、前記端部遮断部品は、絶縁体層と、絶縁体層に設けられた遮断層と、を含み、前記遮断層は、導電遮断層であり、前記絶縁体の少なくとも片側に配線遮断部品が設けられ、任意の両差動モジュールの間に前記配線遮断部品を有し、前記遮断層は、前記接地接触部品または配線遮断部品に電気的に接続される。
【０００８】
本発明の差動コネクタの第４の観点として、本発明の差動コネクタの第３の観点に記載した差動コネクタにおいて、前記遮断層は、金属板であり、隣接する端部遮断部品の金属板の間に接続リブが設けられ、前記遮断層は、前記接続リブを介して前記接地接触部品または配線遮断部品に電気的に接続される。
【０００９】
本発明の差動コネクタの第５の観点として、本発明の第３の観点または第４の観点に記載した差動コネクタにおいて、前記ハウジングに端部遮断部品取付孔が設けられ、端部遮断部品取付孔内に遮断部品取付構造が設けられ、端部遮断部品取付孔の孔壁は、遮断溝の開口部に設けられた第１取付孔孔壁セグメントを含み、前記挿接孔は、端部遮断部品と第１取付孔孔壁セグメントとで囲んで形成され、前記絶縁体層は、挿接孔と遮断層との間に設けられる。
【００１０】
本発明の差動コネクタの第６の観点として、本発明の差動コネクタの第１〜４の観点のいずれに記載した差動コネクタにおいて、ハウジングには、端部遮断部品を集成する集成モジュールが設けられ、集成モジュールには、端部遮断部品と整合する遮断部品取付構造が設けられ、集成モジュールは、スリーブ体構造であり、前記集成モジュール内に前記遮断部品取付構造が設けられ、隣接する前記集成モジュールの隣接する側壁には、対応する部分遮断部品取付構造が設けられ、前記対応する部分遮断部品取付構造で前記遮断部品取付構造を構成する。
【００１１】
本発明の差動コネクタの第７の観点として、本発明の差動コネクタの第６の観点に記載した差動コネクタにおいて、前記差動対に対応する２つの挿接孔の間に絶縁性仕切り板が設けられ、前記遮断部品取付構造は、Ｌ型絶縁板を含み、前記絶縁体層には、Ｌ型絶縁板に掛合する逆Ｌ型絶縁板が設けられ、前記絶縁性仕切り板は、Ｌ型絶縁板と逆Ｌ型絶縁板を備える。
【００１２】
上記目的を実現するために、本発明の差動コネクタハウジング部材の第１の観点として、差動対の挿接端に対応するための挿接孔が設けられたハウジングを含む差動コネクタハウジング部材において、前記ハウジングには、差動対の挿接端に対応するための端部遮断部品が設けられ、前記端部遮断部品には、差動対の挿接端の挿接方向に沿って延びるとともに、差動対の挿接端を収納して同一差動モジュールの隣接する差動対の挿接端を離間させるための遮断溝を有し、各遮断溝の開口の向きが同一である。
【００１３】
本発明の差動コネクタハウジング部材の第２の観点として、差動対の挿接端に対応するための挿接孔が設けられたハウジングを含む差動コネクタハウジング部材において、前記ハウジングには、差動対の挿接端に対応するための端部遮断部品が設けられ、前記端部遮断部品には、差動対の挿接端の挿接方向に沿って延びるとともに、差動対の挿接端を収納して同一差動モジュールの隣接する差動対の挿接端を離間させるための遮断溝を有し、前記同一の差動モジュールの差動対に対応するための端部遮断部品の遮断溝の開口の向きが同一であり、同一差動モジュールの差動対に対応する端部遮断部品で端部遮断部品群を構成し、端部遮断部品群が２つある場合、２つの端部遮断部品群の遮断溝は、開口が背を向けるように設けられ、端部遮断部品群が２つを超える場合、各対の隣接する端部遮断部品群のうちの一対のみの遮断溝は、開口が背を向けるように設けられ、残り各対の端部遮断部品群の遮断溝の開口の向きが同一である。
【００１４】
本発明の差動コネクタハウジング部材の第３の観点として、本発明の差動コネクタハウジング部材の第１の観点または第２の観点に記載した差動コネクタハウジング部材において、前記端部遮断部品は、絶縁体層と、絶縁体層に設けられた遮断層と、を含み、前記遮断層は、導電遮断層であり、前記絶縁体の少なくとも片側に配線遮断部品が設けられ、任意の両差動モジュールの間に前記配線遮断部品を有し、前記遮断層は、前記接地接触部品または配線遮断部品に電気的に接続される。
【００１５】
本発明の差動コネクタハウジング部材の第４の観点として、本発明の差動コネクタハウジング部材の第３の観点に記載した差動コネクタハウジング部材において、前記遮断層は、金属板であり、隣接する端部遮断部品の金属板の間に接続リブが設けられ、前記遮断層は、前記接続リブを介して前記接地接触部品または配線遮断部品に電気的に接続される。
【００１６】
本発明の差動コネクタハウジング部材の第５の観点として、本発明の差動コネクタハウジング部材の第３の観点または第４の観点に記載した差動コネクタハウジング部材において、前記ハウジングに端部遮断部品取付孔が設けられ、端部遮断部品取付孔内に遮断部品取付構造が設けられ、端部遮断部品取付孔の孔壁は、遮断溝の開口部に設けられた第１取付孔孔壁セグメントを含み、前記挿接孔は、端部遮断部品と第１取付孔孔壁セグメントとで囲んで形成され、前記絶縁体層は、挿接孔と遮断層との間に設けられる。
【００１７】
本発明の差動コネクタハウジング部材の第６の観点として、本発明の差動コネクタハウジング部材の第１〜４の観点のいずれに記載した差動コネクタハウジング部材において、ハウジングには、端部遮断部品を集成する集成モジュールが設けられ、集成モジュールには、端部遮断部品と整合する遮断部品取付構造が設けられ、集成モジュールは、スリーブ体構造であり、前記集成モジュール内に前記遮断部品取付構造が設けられ、隣接する前記集成モジュールの隣接する側壁には、対応する部分遮断部品取付構造が設けられ、前記対応する部分遮断部品取付構造で前記遮断部品取付構造を構成する。
【００１８】
本発明の差動コネクタハウジング部材の第７の観点として、本発明の差動コネクタハウジング部材の第６の観点に記載した差動コネクタハウジング部材において、前記差動対に対応するための２つの挿接孔の間に絶縁性仕切り板が設けられ、前記遮断部品取付構造は、Ｌ型絶縁板を含み、前記絶縁体層には、Ｌ型絶縁板に掛合する逆Ｌ型絶縁板が設けられ、前記絶縁性仕切り板は、Ｌ型絶縁板と逆Ｌ型絶縁板を備える。
【発明の効果】
【００１９】
本発明の差動コネクタの差動モジュールの差動対に対応する端部遮断部品には、開口の向きが同一である遮断溝を有する。現在の差動コネクタに比較し、本発明の差動コネクタに記載した差動対の挿接端が遮断溝内に設けられて同一差動モジュールの隣接する差動対の挿接端から離間するため、隣接する差動モジュールの差動対の間の電磁干渉を完全に除去した。
【００２０】
本発明の別の差動コネクタの差動モジュールの差動対に対応する端部遮断部品には遮断溝を有し、同一差動モジュールの差動対に対応する端部遮断部品の遮断溝の開口の向きが同一であり、しかも差動対の挿接端が遮断層内に設けられて同一差動モジュールの隣接する差動対の挿接端から離間する。同一差動モジュールの差動対に対応する端部遮断部品で端部遮断部品群を構成する。端部遮断部品群が２つある場合、２つの端部遮断部品群の遮断溝は、開口が背を向けるように設けられ、隣接する両差動モジュールの差動対の挿接端の間の干渉を除去した。端部遮断部品群が２つを超える場合、各対の隣接する端部遮断部品群のうちの一対のみの遮断溝は、開口が背を向けるように設けられ、残り各対の端部遮断部品群の遮断溝の開口の向きが同一である。同様に、隣接する両差動モジュールの差動対の挿接端の間に電磁干渉が生じないことを保証する。従来の差動コネクタに比較し、本発明の差動コネクタは、隣接する差動モジュールの差動対の間の電磁干渉を完全に除去し、現在の差動コネクタの隣接する差動モジュールの差動対の間に電磁干渉が存在するという問題を解決した。
【００２１】
さらに、前記端部遮断部品は、絶縁体層と、絶縁体層に敷設された遮断層と、を含み、前記遮断層は、金属板であり、隣接する端部遮断部品の金属板の間に接続リブが設けられ、端部遮断部品は、前記接続リブを介して前記接地接触部品または配線遮断部品に電気的に接続される。接続リブを用いることで金属板の加工をさらに便利にするだけではなく、接続リブを介して接地接触部品または配線遮断部品と電気的に接続することは、端部遮断部品の接地をも便利にする。
【００２２】
さらに、ハウジングに端部遮断部品取付孔が設けられ、端部遮断部品取付孔の孔壁は、遮断溝の開口部に設けられた第１取付孔孔壁セグメントを含み、前記挿接孔は、遮断溝と第１取付孔孔壁セグメントとで囲んで形成され、前記絶縁体層は、挿接孔と遮断層との間に設けられる。挿接孔の加工を便利にするとともに、端部遮断部品の取り付けをも便利にする。
【００２３】
さらに、ハウジングには、端部遮断部品を集成する集成モジュールが設けられ、集成モジュールには、端部遮断部品と整合する遮断部品取付構造が設けられ、集成モジュールは、スリーブ体構造であり、集成モジュール内に前記遮断部品取付構造が設けられ、隣接する集成モジュールの隣接する側壁には、対応する部分遮断部品取付構造が設けられ、対応する部分遮断部品取付構造で前記遮断部品取付構造を構成する。集成モジュールを用いることで端部遮断部品の取り付けを便利にするだけではなく、対応する部分遮断部品取付構造で前記遮断部品取付構造を構成することによって、端部遮断部品を隣接する集成モジュールの間に設けることを可能にし、集成モジュールの取付数を減らし、装着効率を向上させる。
【図面の簡単な説明】
【００２４】
【図１】図１は、本発明の差動コネクタの具体的な実施形態の構造図である。
【図２】図２は、本発明の差動コネクタの具体的な実施形態の部分端部遮断部品とハウジング部材との装着図である。
【図３】図３は、本発明の差動コネクタの具体的な実施形態のハウジング部材の一部構造図である。
【図４】図４は、本発明の差動コネクタの具体的な実施形態の構造図である。
【図５】図５は、図４におけるＡ−Ａ線の一部断面図である。
【図６】図６は、本発明の差動コネクタの具体的な実施形態の端部遮断部品の構造図である。
【図７】図７は、本発明の差動コネクタの具体的な実施形態の端部遮断部品とハウジング部材との装着後の一部構造図である。
【図８】図８は、図６における遮断板の構造図である。
【発明を実施するための形態】
【００２５】
以下、図面を参照しながら本発明の実施形態をさらに説明する。
【００２６】
本発明の差動コネクタの具体的な実施形態について、従来の差動コネクタの端部は、遮断板のみで遮断されるため、遮断効果がよくない。ハウジング部材の体積に制限され、筒形状の全体遮断式端部遮断板は、従来の差動モジュールに適用できない。筒形状の端部遮断板を使用するには、差動モジュールの構造を変更する必要がある。本発明は、隣接する差動モジュールの対応する差動対の間の電磁干渉をできるだけ減少させるという目的で、下記の差動コネクタを設計した。
【００２７】
図１〜図８に示されているように、差動コネクタは、ハウジング部材１と、差動モジュール２と、差動モジュールを固定するための固定板３と、を含む。本実施形態において、８個の差動モジュールが設けられている。
【００２８】
差動モジュール２は、絶縁体２１と、差動対２２と、接地接触部品２３と、を含む。絶縁体２１の両側にそれぞれ配線遮断部品が設けられている。ハウジング部材１は、ハウジング１４を含む。ハウジング１４には、差動対２２に対応する挿接孔１１と、接地接触部品２３に対応する接地接触部品挿入孔１６と、が設けられている。絶縁体２１は、差動対２２と接地接触部品２３とを接続させることに用いられる。本実施形態において、配線遮断部品として遮断板２４が用いられ、遮断板２４が絶縁体に固定されている。ハウジング１４には、差動対２２の挿接端に対応する端部遮断部品１２が設けられている。
【００２９】
端部遮断部品１２には、差動対の挿接端の挿接方向に沿って延びる遮断溝１２１を有する。本実施形態において、遮断溝は、Ｕ型遮断溝であり、差動対の挿接端が遮断溝１２１の内部に設けられ、同一の差動モジュールの差動対２２に対応する端部遮断部品１２の遮断溝１２１の開口の向きが同一であり、差動対の挿接端が遮断溝１２１の内部に設けられ、隣接する差動対の挿接端から離間する。
【００３０】
端部遮断部品１２における遮断溝１２１の開口部に対向して設けられた底壁は、隣接する両差動モジュールの対応する差動対の間の隣接モジュール差動対遮断部分１２２を構成する。端部遮断部品における遮断溝の開口部に隣接して設けられる両側壁は、同一差動モジュールの隣接する差動対の間に設けられた同一モジュール差動対遮断部分１２３を構成する。
【００３１】
本実施形態において、同一差動モジュールの差動対に対応する端部遮断部品によって端部遮断部品群を構成する。本実施形態において、差動モジュールが８個設けられ、対応する端部遮断部品群が８個設けられ、各端部遮断部品群が差動モジュールの積層方向に沿って配置され、差動モジュール積層方向において、前側に位置する４個が前方に向け、後ろ側に位置する４個が後方に向ける。
【００３２】
他の実施形態において、差動モジュール積層方向において、最初の２個が前方に向け、後続の６個が後方に向けるのもよい。もちろん、配置方式は、これに限定されないが、各対の隣接する端部遮断部品群のうちの一対のみの遮断溝の開口が背を向けるように設けられ、残り各対の端部遮断部品群の遮断溝の開口の向きが同一であるという条件を満たすべきである。上記条件を満たした場合、端部遮断部品群の数は、８個でなく、２つを超える個数であってもよい。端部遮断部品群が２つある場合、２つの端部遮断部品群の遮断溝は、開口が背を向けるように設けられる。
【００３３】
端部遮断部品１２は、遮断板２４に電気的に接続される。他の実施形態において、端部遮断部品は、接地接触部品に電気的に接続されてもよい。ハウジング１４には、端部遮断部品２１を取り付けるための端部遮断部品取付孔１３が設けられている。端部遮断部品１２は、絶縁体層１２４と、絶縁体層に敷設された金属板１２５と、を含む。金属板１２５は、絶縁体層に敷設された遮断層を構成する。本実施形態において、遮断層と差動対との絶縁離間を保証するために、遮断層が絶縁体層の外面に敷設され、絶縁体層が挿接孔と遮断層との間に設けられて、遮断層と差動対との良好な絶縁離間を保証する。隣接する端部遮断部品の金属板は、接続リブ１２６を介して接続される。本実施形態において、端部遮断部品１２は、差動対の挿接方向に沿って配置されて端部遮断部品取付孔の内部に位置する部分と端部遮断部品取付孔の外部に位置する部分とを含む。接続リブは、隣接する端部遮断部品における端部遮断部品取付孔の外部に位置する部分に接続される。端部遮断部品とハウジング部材との装着関係をできるだけ簡単化することができるとともに、端部遮断部品が接続リブを介して配線遮断部品に電気的に接続されるため、端部遮断部品と配線遮断部品との電気的接続を便利にする。
【００３４】
本実施形態において、端部遮断部品の取り付けを便利にしてモジュール化構造を形成するために、ハウジング１４には、同一の差動モジュールの対応する端部遮断部品を集成するための集成モジュール１５が設けられる。集成モジュール１５は、スリーブ体構造である。集成モジュールの外側に案内鍵１５１が設けられ、ハウジングには、案内鍵に整合する案内溝１４１が設けられ、集成モジュールを取り付けを便利にする。
【００３５】
端部遮断部品の取り付けを便利にするとともに、端部遮断部品の体積をできるだけ減少させるために、本実施形態において、端部遮断部品取付孔１３の孔壁は、遮断溝の開口部に設けられた第１取付孔孔壁セグメント１３１を含み、挿接孔１１は、遮断溝の壁と容第１取付孔孔壁セグメント１３１とで囲んで形成される。端部遮断部品１２の端部遮断部品取付孔１３は、集成モジュール１５に設けられる。本実施形態において、挿接孔と端部遮断部品取付孔とは、第１取付孔孔壁セグメントを共有する。
【００３６】
差動対２２に対応する２つの挿接孔の間に絶縁性仕切り板が設けられている。本実施形態において、絶縁性仕切り板は、第１取付孔孔壁セグメントに設けられて端部遮断部品取付孔内に位置するＬ型絶縁板１３２と、絶縁体層に設けられてＬ型絶縁板に掛合する逆Ｌ型絶縁板１２７と、を組み合わせてなる。端部遮断部品取付孔内にさらに端部遮断部品の位置決め用の位置決め構造が設けられている。本実施形態において、位置決め構造は、端部遮断部品に位置合わせされる位置決め突起台を含む。
【００３７】
集成モジュール１５とハウジング１４とは、着脱可能に接続される。端部遮断部品取付孔は、集成モジュール内に設けられている。本実施形態において、ハウジング部材の体積をさらに減少させるとともに取り付けを便利にするために、同一差動モジュールの端部遮断部品に対応する端部遮断部品取付孔は、差動対配置方向に沿って互いに貫通して、集成モジュール内に設けられた取付室を構成する。本実施形態において、各端部遮断部品は、いずれも取付室に取り付けられている。他の実施形態において、集成モジュールは、板形状構造であってもよく、端部遮断部品取付孔が互いに独立に集成モジュールに設けられている。この場合、隣接する集成モジュールの隣接する側面は、組み合わせて互いに独立する端部遮断部品取付孔を形成する。本実施形態において、隣接する端部遮断部品は、離間して設けられ、集成モジュールと共に囲んで接地接触部品挿入孔１６を形成する。
【００３８】
第１取付孔孔壁セグメントは、集成モジュール内に設けられ、集成モジュール内に設けられるＬ型絶縁板１３２および端部遮断部品の位置決め用の位置決め構造は、集成モジュール内に設けられて端部遮断部品を取り付けるための遮断部品取付構造を構成する。隣接する集成モジュールの隣接する側壁には、対応する部分遮断部品取付構造が設けられ、対応する部分遮断部品取付構造で前記遮断部品取付構造を構成する。本実施形態において、１つの集成モジュールの側壁に位置決め構造が設けられ、それに隣接する集成モジュールの隣接する側壁には、Ｌ型絶縁板が設けられている。集成モジュールの側壁の位置決め構造とＬ型絶縁板とは、それぞれ当該集成モジュール上の、２つの隣接する集成モジュールに対応する部分遮断部品取付構造を構成する。端に位置する集成モジュールの側壁の片側のみの側壁には、隣接する集成モジュールに対応する部分遮断部品取付構造が設けられている。他の実施形態において、絶縁性仕切り板は、端部遮断部品に設けられてもよい。この場合、遮断部品取付構造は、端部遮断部品に位置合わせされる複数の位置決め台であってもよい。
【００３９】
本発明の差動対は、Ｕ型の遮断溝内に設けられている。図７に示されているように、遮断溝の開口の向きが同一である隣接する端部遮断部品群において、隣接する差動モジュールの差動対の電磁干渉経路が封鎖されるため、隣接する差動モジュールの差動対の挿接端で電磁干渉が生じず、それに対角的に隣接する差動対の間の電磁干渉も除去するため、信号伝送の品質を極大に向上させる。同様の理由により、遮断溝の開口が背を向けるように設けられた隣接する端部遮断部品群において、隣接する差動モジュールの差動対の挿接端でも電磁干渉が生じない。
【００４０】
本発明の端部遮断部品は、絶縁体層に遮断層を敷設する方法を用いたため、金属板を絶縁体層に敷設することに適用するほか、電気めっき層または他の電磁波の吸収や反射ができる材料を絶縁体層に敷設することを用いてもよい。遮断層は、単に導電媒体である場合に配線遮断部品または接地接触部品と電気的に接続する必要がある。
【００４１】
本発明の差動コネクタの具体的な実施形態２について、本実施形態の差動コネクタは、各差動モジュールの差動対に対応する端部遮断部品１０２の遮断溝１０２１の開口の向きが同一であり、各遮断溝１０２１の開口の向きが同一でありかついずれも差動モジュールの配置方向に向けられるという点でのみ、上記差動コネクタの具体的な実施形態１に記載した差動コネクタとは異なる。対応して、図１０と図１１とに示されているように、ハウジング部材１０のハウジング１０４、集成モジュール１０５、端部遮断部品取付孔１０３の構造も適宜に変更する。本発明の差動対２０２は、Ｕ型の遮断溝１０２１内に設けられ、遮断溝１０２１の開口の向きが同一である。図７に示されているように、隣接する差動モジュール２０の差動対の電磁干渉経路が封鎖されるため、隣接する差動モジュールの差動対の挿接端で電磁干渉が生じず、それに対角的に隣接する差動対の間の電磁干渉も除去するため、信号伝送の品質を極大に向上させる。他の部分の構造は、上記差動コネクタの具体的な実施形態１に記載した構造とは同一であり、繰り返して記載しない。
【００４２】
本発明の差動コネクタハウジング部材の具体的な実施形態について、差動コネクタハウジング部材は、上記差動コネクタの具体的な実施形態１または２に記載したハウジング部材の構造とは同一であり、繰り返して記載しない。
【００４３】
本発明の差動コネクタおよび当該差動コネクタに使用される差動コネクタハウジング部材の他の実施形態において、上記端部遮断部品は、遮断層のみを含んでもよい。この場合、ハウジングには、端部遮断部品に対応する端部遮断部品取付孔が設けられ、装着時に端部遮断部品を端部遮断部品取付孔に直接挿入すればよい。上記集成モジュールは、ハウジング本体と一体式構造であってもよく、集成モジュールがハウジングに嵌合される。上記接地接触部品は、ハウジング部材の接地接触部品挿入孔内にまで延びなくてもよく、同一差動モジュールの差動対の挿接端の遮断が端部遮断部品のみによって行われる。上記接続リブは、設けなくてもよい。この場合、各金属板はそれぞれ接地接触部品または遮断板と電気的に接続する。上記隣接する集成モジュールの隣接する側面には、遮断部品取付構造を設けなくてもよい。この場合、端部遮断部品取付孔が集成モジュール内に設けられる。上記接地接触部品に対応する接地接触部品挿入孔は、設けなくてもよい。接地接触部品の取付位置に応じて、接地接触部品と差動対との絶縁を保証する前提で、接地接触部品と差動対接触部品とは、同一の挿入孔内に設けられてもよい。
【００４４】
（付記）
（付記１）
絶縁体、差動対および接地接触部品を含む２つ以上の差動モジュールと、差動対の挿接端に対応する挿接孔が設けられたハウジングを含むハウジング部材と、を含む差動コネクタにおいて、
前記ハウジングには、差動対の挿接端に対応する端部遮断部品が設けられ、
前記端部遮断部品には、差動対の挿接端の挿接方向に沿って延びる遮断溝を有し、
各遮断溝の開口の向きが同一であり、
前記差動対の挿接端は、遮断溝内に設けられて同一差動モジュールの隣接する差動対の挿接端から離間する、
ことを特徴とする差動コネクタ。
【００４５】
（付記２）
前記端部遮断部品は、絶縁体層と、絶縁体層に設けられた遮断層と、を含み、
前記遮断層は、導電遮断層であり、
前記絶縁体の少なくとも片側に配線遮断部品が設けられ、
任意の両差動モジュールの間に前記配線遮断部品を有し、
前記遮断層は、前記接地接触部品または配線遮断部品に電気的に接続される、
ことを特徴とする付記１に記載の差動コネクタ。
【００４６】
（付記３）
前記遮断層は、金属板であり、
隣接する端部遮断部品の金属板の間に接続リブが設けられ、
前記遮断層は、前記接続リブを介して前記接地接触部品または配線遮断部品に電気的に接続される、
ことを特徴とする付記２に記載の差動コネクタ。
【００４７】
（付記４）
前記ハウジングに端部遮断部品取付孔が設けられ、
端部遮断部品取付孔内に遮断部品取付構造が設けられ、
端部遮断部品取付孔の孔壁は、遮断溝の開口部に設けられた第１取付孔孔壁セグメントを含み、
前記挿接孔は、端部遮断部品と第１取付孔孔壁セグメントとで囲んで形成され、
前記絶縁体層は、挿接孔と遮断層との間に設けられる、
ことを特徴とする付記２または３に記載の差動コネクタ。
【００４８】
（付記５）
ハウジングには、端部遮断部品を集成する集成モジュールが設けられ、
集成モジュールには、端部遮断部品と整合する遮断部品取付構造が設けられ、
集成モジュールは、スリーブ体構造であり、
前記集成モジュール内に前記遮断部品取付構造が設けられ、
隣接する前記集成モジュールの隣接する側壁には、対応する部分遮断部品取付構造が設けられ、
前記対応する部分遮断部品取付構造で前記遮断部品取付構造を構成する、
ことを特徴とする付記１〜３のいずれか１つに記載の差動コネクタ。
【００４９】
（付記６）
前記差動対に対応する２つの挿接孔の間に絶縁性仕切り板が設けられ、
前記遮断部品取付構造は、Ｌ型絶縁板を含み、
前記絶縁体層には、Ｌ型絶縁板に掛合する逆Ｌ型絶縁板が設けられ、
前記絶縁性仕切り板は、Ｌ型絶縁板と逆Ｌ型絶縁板を備える、
ことを特徴とする付記５に記載の差動コネクタ。
【００５０】
（付記７）
絶縁体、差動対および接地接触部品を含む少なくとも２つの差動モジュールと、差動対の挿接端に対応する挿接孔が設けられたハウジングを含むハウジング部材と、を含む差動コネクタにおいて、
前記ハウジングには、差動対の挿接端に対応する端部遮断部品が設けられ、
前記端部遮断部品には、差動対の挿接端の挿接方向に沿って延びる遮断溝を有し、
同一の前記差動モジュールの差動対に対応する端部遮断部品の遮断溝の開口の向きが同一であり、
前記差動対の挿接端は、遮断溝内に設けられて同一差動モジュールの隣接する差動対の挿接端から離間し、
同一差動モジュールの差動対に対応する端部遮断部品で端部遮断部品群を構成し、
端部遮断部品群が２つある場合、２つの端部遮断部品群の遮断溝は、開口が背を向けるように設けられ、
端部遮断部品群が２つを超える場合、各対の隣接する端部遮断部品群のうちの一対のみの遮断溝は、開口が背を向けるように設けられ、残り各対の端部遮断部品群の遮断溝の開口の向きが同一である、
ことを特徴とする差動コネクタ。
【００５１】
（付記８）
前記端部遮断部品は、絶縁体層と、絶縁体層に設けられた遮断層と、を含み、
前記遮断層は、導電遮断層であり、
前記絶縁体の少なくとも片側に配線遮断部品が設けられ、
任意の両差動モジュールの間に前記配線遮断部品を有し、
前記遮断層は、前記接地接触部品または配線遮断部品に電気的に接続される、
ことを特徴とする付記７に記載の差動コネクタ。
【００５２】
（付記９）
前記遮断層は、金属板であり、
隣接する端部遮断部品の金属板の間に接続リブが設けられ、
前記遮断層は、前記接続リブを介して前記接地接触部品または配線遮断部品に電気的に接続される、
ことを特徴とする付記８に記載の差動コネクタ。
【００５３】
（付記１０）
前記ハウジングに端部遮断部品取付孔が設けられ、
端部遮断部品取付孔内に遮断部品取付構造が設けられ、
端部遮断部品取付孔の孔壁は、遮断溝の開口部に設けられた第１取付孔孔壁セグメントを含み、
前記挿接孔は、遮断溝と第１取付孔孔壁セグメントとで囲んで形成され、
前記絶縁体層は、挿接孔と遮断層との間に設けられる、
ことを特徴とする付記８または９に記載の差動コネクタ。
【００５４】
（付記１１）
ハウジングに端部遮断部品集成用の集成モジュールが設けられ、
集成モジュールには、端部遮断部品と整合する遮断部品取付構造が設けられ、
前記集成モジュールは、スリーブ体構造であり、
前記集成モジュール内に前記遮断部品取付構造が設けられ、
隣接する前記集成モジュールの隣接する側壁には、対応する部分遮断部品取付構造が設けられ、
前記対応する部分遮断部品取付構造で前記遮断部品取付構造を構成する、
ことを特徴とする付記７〜９のいずれか１つに記載の差動コネクタ。
【００５５】
（付記１２）
前記差動対に対応する２つの挿接孔の間に絶縁性仕切り板が設けられ、
前記遮断部品取付構造は、Ｌ型絶縁板を含み、
前記絶縁体層には、Ｌ型絶縁板に掛合する逆Ｌ型絶縁板が設けられ、
前記絶縁性仕切り板は、Ｌ型絶縁板と逆Ｌ型絶縁板を備える、
ことを特徴とする付記１１に記載の差動コネクタ。
【００５６】
（付記１３）
差動対の挿接端に対応するための挿接孔が設けられたハウジングを含む差動コネクタハウジング部材において、
前記ハウジングには、差動対の挿接端に対応するための端部遮断部品が設けられ、
前記端部遮断部品には、差動対の挿接端の挿接方向に沿って延びるとともに、差動対の挿接端を収納して同一差動モジュールの隣接する差動対の挿接端を離間させるための遮断溝を有し、
各遮断溝の開口の向きが同一である、
ことを特徴とする差動コネクタハウジング部材。
【００５７】
（付記１４）
前記端部遮断部品は、絶縁体層と、絶縁体層に設けられた遮断層と、を含み、
前記遮断層は、接地接触部品または配線遮断部品に電気的に接続するための導電遮断層である、
ことを特徴とする付記１３に記載の差動コネクタハウジング部材。
【００５８】
（付記１５）
前記遮断層は、金属板であり、
隣接する端部遮断部品の金属板の間に接続リブが設けられ、
前記遮断層は、前記接続リブを介して前記接地接触部品または配線遮断部品に電気的に接続される、
ことを特徴とする付記１４に記載の差動コネクタハウジング部材。
【００５９】
（付記１６）
前記ハウジングに端部遮断部品取付孔が設けられ、
端部遮断部品取付孔の孔壁は、遮断溝の開口部に設けられた第１取付孔孔壁セグメントを含み、
前記挿接孔は、遮断溝と第１取付孔孔壁セグメントとで囲んで形成され、
前記絶縁体層は、挿接孔と遮断層との間に設けられる、
ことを特徴とする付記１４または１５に記載の差動コネクタハウジング部材。
【００６０】
（付記１７）
ハウジングには、端部遮断部品を集成する集成モジュールが設けられ、
集成モジュールには、端部遮断部品と整合する遮断部品取付構造が設けられ、
集成モジュールは、スリーブ体構造であり、
前記集成モジュール内に前記遮断部品取付構造が設けられ、
隣接する前記集成モジュールの隣接する側壁には、対応する部分遮断部品取付構造が設けられ、
前記対応する部分遮断部品取付構造で前記遮断部品取付構造を構成する、
ことを特徴とする付記１３〜１５のいずれか１つに記載の差動コネクタハウジング部材。
【００６１】
（付記１８）
前記差動対に対応するための２つの挿接孔の間に絶縁性仕切り板が設けられ、
前記遮断部品取付構造は、Ｌ型絶縁板を含み、
前記絶縁体層には、Ｌ型絶縁板に掛合する逆Ｌ型絶縁板が設けられ、
前記絶縁性仕切り板は、Ｌ型絶縁板と逆Ｌ型絶縁板を備える、
ことを特徴とする付記１７に記載の差動コネクタハウジング部材。
【００６２】
（付記１９）
差動対の挿接端に対応するための挿接孔が設けられたハウジングを含む差動コネクタハウジング部材において、
前記ハウジングには、差動対の挿接端に対応するための端部遮断部品が設けられ、
前記端部遮断部品には、差動対の挿接端の挿接方向に沿って延びるとともに、差動対の挿接端を収納して同一差動モジュールの隣接する差動対の挿接端を離間させるための遮断溝を有し、
前記同一の差動モジュールの差動対に対応するための端部遮断部品の遮断溝の開口の向きが同一であり、
同一差動モジュールの差動対に対応する端部遮断部品で端部遮断部品群を構成し、
端部遮断部品群が２つある場合、２つの端部遮断部品群の遮断溝は、開口が背を向けるように設けられ、
端部遮断部品群が２つを超える場合、各対の隣接する端部遮断部品群のうちの一対のみの遮断溝は、開口が背を向けるように設けられ、残り各対の端部遮断部品群の遮断溝の開口の向きが同一である、
ことを特徴とする差動コネクタハウジング部材。
【００６３】
（付記２０）
前記端部遮断部品は、絶縁体層と、絶縁体層に設けられた遮断層と、を含み、
前記遮断層は、接地接触部品または配線遮断部品に電気的に接続するための導電遮断層である、
ことを特徴とする付記１９に記載の差動コネクタハウジング部材。
【００６４】
（付記２１）
前記遮断層は、金属板であり、
隣接する端部遮断部品の金属板の間に接続リブが設けられ、
前記遮断層は、前記接続リブを介して前記接地接触部品または配線遮断部品に電気的に接続される、
ことを特徴とする付記２０に記載の差動コネクタハウジング部材。
【００６５】
（付記２２）
前記ハウジングに端部遮断部品取付孔が設けられ、
端部遮断部品取付孔の孔壁は、遮断溝の開口部に設けられた第１取付孔孔壁セグメントを含み、
前記挿接孔は、遮断溝と第１取付孔孔壁セグメントとで囲んで形成され、
前記絶縁体層は、挿接孔と遮断層との間に設けられる、
ことを特徴とする付記２０または２１に記載の差動コネクタハウジング部材。
【００６６】
（付記２３）
ハウジングには、端部遮断部品を集成する集成モジュールが設けられ、
集成モジュールには、端部遮断部品と整合する遮断部品取付構造が設けられ、
集成モジュールは、スリーブ体構造であり、
前記集成モジュール内に前記遮断部品取付構造が設けられ、
隣接する前記集成モジュールの隣接する側壁には、対応する部分遮断部品取付構造が設けられ、
前記対応する部分遮断部品取付構造で前記遮断部品取付構造を構成する、
ことを特徴とする付記１９〜２１のいずれか１つに記載の差動コネクタハウジング部材。
【００６７】
（付記２４）
前記差動対に対応するための２つの挿接孔の間に絶縁性仕切り板が設けられ、
前記遮断部品取付構造は、Ｌ型絶縁板を含み、
前記絶縁体層には、Ｌ型絶縁板に掛合する逆Ｌ型絶縁板が設けられ、
前記絶縁性仕切り板は、Ｌ型絶縁板と逆Ｌ型絶縁板を備える、
ことを特徴とする付記２３に記載の差動コネクタハウジング部材。
【図１】
2019523977.tif 000003
【図２】
2019523977.tif 000004
【図３】
2019523977.tif 000005
【図４】
2019523977.tif 000006
【図５】
2019523977.tif 000007
【図６】
2019523977.tif 000008
【図７】
2019523977.tif 000009
【図８】
2019523977.tif 000010
【図９】
2019523977.tif 000011
【図１０】
2019523977.tif 000012
【図１１】
2019523977.tif 000013
【手続補正書】
【提出日】平成30年11月28日(2018.11.28)
【手続補正１】
【補正対象書類名】明細書
【補正対象項目名】００２２
【補正方法】変更
【補正の内容】
【００２２】
さらに、ハウジングに端部遮断部品取付孔が設けられ、端部遮断部品取付孔の孔壁は、遮断溝の開口部に設けられた第１取付孔孔壁セグメントを含み、前記挿接孔は、端部遮断部品と第１取付孔孔壁セグメントとで囲んで形成され、前記絶縁体層は、挿接孔と遮断層との間に設けられる。挿接孔の加工を便利にするとともに、端部遮断部品の取り付けをも便利にする。
【手続補正２】
【補正対象書類名】明細書
【補正対象項目名】００２４
【補正方法】変更
【補正の内容】
【００２４】
【図１】図１は、本発明の差動コネクタの具体的な実施形態１の構造図である。
【図２】図２は、本発明の差動コネクタの具体的な実施形態１の部分端部遮断部品とハウジング部材との装着図である。
【図３】図３は、本発明の差動コネクタの具体的な実施形態１のハウジング部材の一部構造図である。
【図４】図４は、本発明の差動コネクタの具体的な実施形態１の構造図である。
【図５】図５は、図４におけるＡ−Ａ線の一部断面図である。
【図６】図６は、本発明の差動コネクタの具体的な実施形態１の端部遮断部品の構造図である。
【図７】図７は、本発明の差動コネクタの具体的な実施形態１の端部遮断部品とハウジング部材との装着後の一部構造図である。
【図８】図８は、図６における遮断板の構造図である。
【図９】図９は、本発明の差動コネクタの具体的な実施形態２のハウジング部材と端部遮断部品とを示す図である。
【図１０】図１０は、本発明の差動コネクタの具体的な実施形態２の端部遮断部品、ハウジングおよび集成モジュールを示す図である。
【図１１】図１１は、本発明の差動コネクタの具体的な実施形態２のハウジング部材と集成モジュールとを示す図である。
【手続補正３】
【補正対象書類名】明細書
【補正対象項目名】００２６
【補正方法】変更
【補正の内容】
【００２６】
本発明の差動コネクタの具体的な実施形態１について、従来の差動コネクタの端部は、遮断板のみで遮断されるため、遮断効果がよくない。ハウジング部材の体積に制限され、筒形状の全体遮断式端部遮断板は、従来の差動モジュールに適用できない。筒形状の端部遮断板を使用するには、差動モジュールの構造を変更する必要がある。本発明は、隣接する差動モジュールの対応する差動対の間の電磁干渉をできるだけ減少させるという目的で、下記の差動コネクタを設計した。
【手続補正４】
【補正対象書類名】明細書
【補正対象項目名】００３３
【補正方法】変更
【補正の内容】
【００３３】
端部遮断部品１２は、遮断板２４に電気的に接続される。他の実施形態において、端部遮断部品は、接地接触部品に電気的に接続されてもよい。ハウジング１４には、端部遮断部品１２を取り付けるための端部遮断部品取付孔１３が設けられている。端部遮断部品１２は、絶縁体層１２４と、絶縁体層に敷設された金属板１２５と、を含む。金属板１２５は、絶縁体層に敷設された遮断層を構成する。本実施形態において、遮断層と差動対との絶縁離間を保証するために、遮断層が絶縁体層の外面に敷設され、絶縁体層が挿接孔と遮断層との間に設けられて、遮断層と差動対との良好な絶縁離間を保証する。隣接する端部遮断部品の金属板は、接続リブ１２６を介して接続される。本実施形態において、端部遮断部品１２は、差動対の挿接方向に沿って配置されて端部遮断部品取付孔の内部に位置する部分と端部遮断部品取付孔の外部に位置する部分とを含む。接続リブは、隣接する端部遮断部品における端部遮断部品取付孔の外部に位置する部分に接続される。端部遮断部品とハウジング部材との装着関係をできるだけ簡単化することができるとともに、端部遮断部品が接続リブを介して配線遮断部品に電気的に接続されるため、端部遮断部品と配線遮断部品との電気的接続を便利にする。
【手続補正５】
【補正対象書類名】明細書
【補正対象項目名】００３５
【補正方法】変更
【補正の内容】
【００３５】
端部遮断部品の取り付けを便利にするとともに、端部遮断部品の体積をできるだけ減少させるために、本実施形態において、端部遮断部品取付孔１３の孔壁は、遮断溝の開口部に設けられた第１取付孔孔壁セグメント１３１を含み、挿接孔１１は、遮断溝の壁と第１取付孔孔壁セグメント１３１とで囲んで形成される。端部遮断部品１２の端部遮断部品取付孔１３は、集成モジュール１５に設けられる。本実施形態において、挿接孔と端部遮断部品取付孔とは、第１取付孔孔壁セグメントを共有する。
【手続補正６】
【補正対象書類名】明細書
【補正対象項目名】００４１
【補正方法】変更
【補正の内容】
【００４１】
本発明の差動コネクタの具体的な実施形態２を図９〜図１１に示す。本実施形態の差動コネクタは、各差動モジュールの差動対に対応する端部遮断部品１０２の遮断溝１０２１の開口の向きが同一であり、各遮断溝１０２１の開口の向きが同一でありかついずれも差動モジュールの配置方向に向けられるという点でのみ、上記差動コネクタの具体的な実施形態１に記載した差動コネクタとは異なる。対応して、図１０と図１１とに示されているように、ハウジング部材１０のハウジング１０４、集成モジュール１０５、端部遮断部品取付孔１０３の構造も適宜に変更する。本発明の差動対は、Ｕ型の遮断溝１０２１内に設けられ、遮断溝１０２１の開口の向きが同一である。図１１に示されているように、隣接する差動モジュールの差動対の電磁干渉経路が封鎖されるため、隣接する差動モジュールの差動対の挿接端で電磁干渉が生じず、それに対角的に隣接する差動対の間の電磁干渉も除去するため、信号伝送の品質を極大に向上させる。他の部分の構造は、上記差動コネクタの具体的な実施形態１に記載した構造とは同一であり、繰り返して記載しない。
【手続補正７】
【補正対象書類名】特許請求の範囲
【補正対象項目名】全文
【補正方法】変更
【補正の内容】
【特許請求の範囲】
【請求項１】
絶縁体、差動対および接地接触部品を含む２つ以上の差動モジュールと、差動対の挿接端に対応する挿接孔が設けられたハウジングを含むハウジング部材と、を含む差動コネクタにおいて、
前記ハウジングには、差動対の挿接端に対応する端部遮断部品が設けられ、
前記端部遮断部品には、差動対の挿接端の挿接方向に沿って延びる遮断溝を有し、
各遮断溝の開口の向きが同一であり、
前記差動対の挿接端は、遮断溝内に設けられて同一差動モジュールの隣接する差動対の挿接端から離間する、
ことを特徴とする差動コネクタ。
【請求項２】
絶縁体、差動対および接地接触部品を含む少なくとも２つの差動モジュールと、差動対の挿接端に対応する挿接孔が設けられたハウジングを含むハウジング部材と、を含む差動コネクタにおいて、
前記ハウジングには、差動対の挿接端に対応する端部遮断部品が設けられ、
前記端部遮断部品には、差動対の挿接端の挿接方向に沿って延びる遮断溝を有し、
同一の前記差動モジュールの差動対に対応する端部遮断部品の遮断溝の開口の向きが同一であり、
前記差動対の挿接端は、遮断溝内に設けられて同一差動モジュールの隣接する差動対の挿接端から離間し、
同一差動モジュールの差動対に対応する端部遮断部品で端部遮断部品群を構成し、
端部遮断部品群が２つある場合、２つの端部遮断部品群の遮断溝は、開口が背を向けるように設けられ、
端部遮断部品群が２つを超える場合、各対の隣接する端部遮断部品群のうちの一対のみの遮断溝は、開口が背を向けるように設けられ、残り各対の端部遮断部品群の遮断溝の開口の向きが同一である、
ことを特徴とする差動コネクタ。
【請求項３】
前記端部遮断部品は、絶縁体層と、絶縁体層に設けられた遮断層と、を含み、
前記遮断層は、導電遮断層であり、
前記絶縁体の少なくとも片側に配線遮断部品が設けられ、
任意の両差動モジュールの間に前記配線遮断部品を有し、
前記遮断層は、前記接地接触部品または配線遮断部品に電気的に接続される、
ことを特徴とする請求項１又は２に記載の差動コネクタ。
【請求項４】
前記遮断層は、金属板であり、
隣接する端部遮断部品の金属板の間に接続リブが設けられ、
前記遮断層は、前記接続リブを介して前記接地接触部品または配線遮断部品に電気的に接続される、
ことを特徴とする請求項３に記載の差動コネクタ。
【請求項５】
前記ハウジングに端部遮断部品取付孔が設けられ、
端部遮断部品取付孔内に遮断部品取付構造が設けられ、
端部遮断部品取付孔の孔壁は、遮断溝の開口部に設けられた第１取付孔孔壁セグメントを含み、
前記挿接孔は、端部遮断部品と第１取付孔孔壁セグメントとで囲んで形成され、
前記絶縁体層は、挿接孔と遮断層との間に設けられる、
ことを特徴とする請求項３または４に記載の差動コネクタ。
【請求項６】
ハウジングには、端部遮断部品を集成する集成モジュールが設けられ、
集成モジュールには、端部遮断部品と整合する遮断部品取付構造が設けられ、
集成モジュールは、スリーブ体構造であり、
前記集成モジュール内に前記遮断部品取付構造が設けられ、
隣接する前記集成モジュールの隣接する側壁には、対応する部分遮断部品取付構造が設けられ、
前記対応する部分遮断部品取付構造で前記遮断部品取付構造を構成する、
ことを特徴とする請求項１〜４のいずれか１項に記載の差動コネクタ。
【請求項７】
前記差動対に対応する２つの挿接孔の間に絶縁性仕切り板が設けられ、
前記遮断部品取付構造は、Ｌ型絶縁板を含み、
前記絶縁体層には、Ｌ型絶縁板に掛合する逆Ｌ型絶縁板が設けられ、
前記絶縁性仕切り板は、Ｌ型絶縁板と逆Ｌ型絶縁板を備える、
ことを特徴とする請求項６に記載の差動コネクタ。
【請求項８】
差動対の挿接端に対応するための挿接孔が設けられたハウジングを含む差動コネクタハウジング部材において、
前記ハウジングには、差動対の挿接端に対応するための端部遮断部品が設けられ、
前記端部遮断部品には、差動対の挿接端の挿接方向に沿って延びるとともに、差動対の挿接端を収納して同一差動モジュールの隣接する差動対の挿接端を離間させるための遮断溝を有し、
各遮断溝の開口の向きが同一である、
ことを特徴とする差動コネクタハウジング部材。
【請求項９】
差動対の挿接端に対応するための挿接孔が設けられたハウジングを含む差動コネクタハウジング部材において、
前記ハウジングには、差動対の挿接端に対応するための端部遮断部品が設けられ、
前記端部遮断部品には、差動対の挿接端の挿接方向に沿って延びるとともに、差動対の挿接端を収納して同一差動モジュールの隣接する差動対の挿接端を離間させるための遮断溝を有し、
前記同一の差動モジュールの差動対に対応するための端部遮断部品の遮断溝の開口の向きが同一であり、
同一差動モジュールの差動対に対応する端部遮断部品で端部遮断部品群を構成し、
端部遮断部品群が２つある場合、２つの端部遮断部品群の遮断溝は、開口が背を向けるように設けられ、
端部遮断部品群が２つを超える場合、各対の隣接する端部遮断部品群のうちの一対のみの遮断溝は、開口が背を向けるように設けられ、残り各対の端部遮断部品群の遮断溝の開口の向きが同一である、
ことを特徴とする差動コネクタハウジング部材。
【国際調査報告】
2019523977.tif 000014
2019523977.tif 000015
2019523977.tif 000016
2019523977.tif 000017